(57)【要約】【課題】操作性が良好であると共に、魚信感度に優れたハンドルノブを備えた魚釣用リールのハンドル、及び、そのようなハンドルノブを提供する。【解決手段】ハンドル軸に連結されたアーム部と、アーム部に取り付けられる支軸と、前記支軸に対して回転可能に装着されるハンドルノブとを備えた魚釣用リールのハンドルであって、前記ハンドルノブは、開口部が形成された薄肉部を備えており、前記支軸とハンドルノブは、前記支軸が薄肉部から露出するように、支軸の直径Ｄ＞薄肉部の肉厚Ｔとなるように形成されていることを特徴とする。【選択図】  図３
2020115776.tif 000002
【特許請求の範囲】
【請求項１】
ハンドル軸に連結されたアーム部と、アーム部に取り付けられる支軸と、前記支軸に対して回転可能に装着されるハンドルノブとを備えている魚釣用リールのハンドルであって、
前記ハンドルノブは、開口部が形成された薄肉部を備えており、
前記支軸とハンドルノブは、前記支軸が薄肉部から露出するように、支軸の直径Ｄ＞薄肉部の肉厚Ｔとなるように形成されていることを特徴とする魚釣用リールのハンドル。
【請求項２】
前記薄肉部には、摘まんだ指の軸方向への移動を規制するように、径方向に膨出する膨出部が形成されていることを特徴とする請求項１に記載の魚釣用リールのハンドル。
【請求項３】
前記膨出部は、前記薄肉部の表面から立ち上がる傾斜面、又は、垂直壁を介して形成されていることを特徴とする請求項２に記載の魚釣用リールのハンドル。
【請求項４】
前記ハンドルノブは、前記支軸を露出させる第１の平坦面と、前記膨出部に形成される第２の平坦面と、を備えていることを特徴とする請求項２に記載の魚釣用リールのハンドル。
【請求項５】
前記膨出部は、ハンドルノブの中央領域に形成され、その両側に前記開口部が形成されていることを特徴とする請求項２に記載の魚釣用リールのハンドル。
【請求項６】
前記ハンドルノブの薄肉部に、前記支軸が嵌合された状態にあることを特徴とする請求項１から５のいずれか１項に記載の魚釣用リールのハンドル。
【請求項７】
前記薄肉部は、軸方向長さが５〜１１ｍｍの範囲で、前記肉厚Ｔは、２〜３．５ｍｍの範囲で形成されていることを特徴とする請求項１から６のいずれか１項に記載の魚釣用リールのハンドル。
【請求項８】
ハンドルのアーム部の支軸に回転可能に装着される魚釣用リールのハンドルノブであって、
前記ハンドルノブは、前記支軸が露出する開口部が形成された薄肉部を備えており、前記薄肉部には、摘まんだ指の軸方向への移動を規制するように前記薄肉部の表面から立ち上がって径方向に膨出する膨出部が形成されていることを特徴とする魚釣用リールのハンドルノブ。
【発明の詳細な説明】
【技術分野】
【０００１】
本発明は、釣糸巻き取り操作時に把持される魚釣用リールのハンドルに関し、詳細には、ハンドル軸に連結されたアーム部分の先端に装着されるハンドルノブに特徴を備えた魚釣用リールのハンドルに関する。
【背景技術】
【０００２】
通常、魚釣用リールを用いて魚釣りを行なう場合、釣り人は、ハンドル部分（ハンドルノブ）を把持して回転操作をし、釣糸の巻き取り操作を行なう。従来、ハンドルノブは様々な形態が知られており、例えば、特許文献１に開示されているように、部品点数を少なくしつつ、魚の当たりを繊細に感知できるような構成が知られている。この特許文献１に開示されているハンドルノブは、ハンドル軸に連結されたアーム部分の先端に金属製の支軸を取り付けると共に、前記支軸にハンドルノブを回転可能に支持しており、ハンドルノブには、支軸を露出させるよう略楕円形状の開口（凹部）が形成されている。
【０００３】
そして、上記したハンドルノブを、親指及び人差し指で挟持すると、その腹部が前記開口を通じて金属製の支軸に接触できるため、釣竿を通じて伝わってくる魚信を感知することが可能となる。
【先行技術文献】
【特許文献】
【０００４】
【特許文献１】特許第５７３９７９８号
【発明の概要】
【発明が解決しようとする課題】
【０００５】
上記した特許文献１に開示されているハンドルノブは、開口部分に支軸が位置するような構成となっているが、支軸の直径は、ハンドルノブの肉厚よりも小さいため、魚信を取る際には、ハンドルノブの表面を強く摘まみながら支軸に当接させる必要が生じ、また、その状態で巻き取り操作を行なうため、魚信感度を取りながらの回転操作性に劣るという問題がある。また、ハンドルノブは、軸方向に沿った断面視で、なだらかに窪むように湾曲状に形成されているため、上記したように強く摘まんでいないと指が抜けてしまい、操作性に劣るという問題がある。
【０００６】
本発明は、上記した問題に着目してなされたものであり、操作性が良好であると共に、魚信感度に優れたハンドルノブを備えた魚釣用リールのハンドル、及び、そのハンドルノブを提供することを目的とする。
【課題を解決するための手段】
【０００７】
上記した目的を達成するために、本発明は、ハンドル軸に連結されたアーム部と、アーム部に取り付けられる支軸と、前記支軸に対して回転可能に装着されるハンドルノブとを備えている魚釣用リールのハンドルであって、前記ハンドルノブは、開口部が形成された薄肉部を備えており、前記支軸とハンドルノブは、前記支軸が薄肉部から露出するように、支軸の直径Ｄ＞薄肉部の肉厚Ｔとなるように形成されていることを特徴とする。
【０００８】
上記した構成のハンドルは、ハンドルノブの薄肉部に形成された開口部から支軸が露出した状態にあり、支軸の直径Ｄ＞薄肉部の肉厚Ｔとなっているため、ハンドルノブを強く摘まなくても、指の腹部が直接、支軸に触れることができ、良好な魚信感度が得られつつ安定した回転操作をすることが可能となる。
【０００９】
また、本発明は、ハンドルのアーム部の支軸に回転可能に装着される魚釣用リールのハンドルノブであって、前記ハンドルノブは、前記支軸が露出する開口部が形成された薄肉部を備えており、前記薄肉部には、摘まんだ指の軸方向への移動を規制するように前記薄肉部の表面から立ち上がって径方向に膨出する膨出部が形成されていることを特徴とする。
【００１０】
上記した構成のハンドルノブは、薄肉部を摘まんだ際、その指の腹部で、開口部を介して支軸に直接触れることができ、良好な魚信感度が得られ、また、膨出部により、軸方向への移動が規制されるため、安定した回転操作をすることが可能となる。
【発明の効果】
【００１１】
本発明によれば、操作性が良好であると共に、魚信感度に優れたハンドルノブを備えた魚釣用リールのハンドル、及び、そのようなハンドルノブが得られる。
【図面の簡単な説明】
【００１２】
【図１】本発明に係るハンドルが装着される魚釣用リールの一例を示す図。
【図２】第１の実施形態を示す図であり、図１に示す魚釣用リールのハンドルのハンドルノブ部分の斜視図。
【図３】ハンドルノブ部分の平面図。
【図４】図３のＡ−Ａ線に沿った断面図。
【図５】図３のＢ−Ｂ線に沿った断面図。
【図６】図３のＣ−Ｃ線に沿った断面図。
【図７】ハンドルノブを親指と人差し指で摘まんで巻き取り操作する状態を示す図。
【図８】本発明の第２の実施形態を示す図であり、ハンドルノブ部分の斜視図。
【図９】図８に示す構成において、ハンドルノブ部分の軸方向に沿った断面図。
【図１０】本発明の第３の実施形態を示す図であり、ハンドルノブ部分の斜視図。
【図１１】図１０に示す構成において、ハンドルノブ部分の軸方向に沿った断面図。
【図１２】本発明の第４の実施形態を示す図であり、ハンドルノブ部分の斜視図。
【図１３】図１２に示す構成において、ハンドルノブ部分の軸方向に沿った断面図。
【発明を実施するための形態】
【００１３】
以下、添付図面を参照しながら、本発明に係る魚釣用リールのハンドル、及びハンドルノブの実施形態について具体的に説明する。
【００１４】
図１から図７は、本発明に係る魚釣用リールのハンドル（以下、ハンドルと称する）の第１の実施形態を示す図である。本実施形態に係るハンドル１は、図１に示すような魚釣用リール（スピニングリール）１００に装着することが可能である。
【００１５】
最初に、図１を参照して、本実施形態の魚釣用リールの全体構成について説明する。  
前記魚釣用リールのリール本体１０１には、回転可能に支持されたロータ１０３と、ロータ１０３の回転運動と同期して前後動可能に支持されたスプール１０４と、が配設されている。前記ロータ１０３は、スプール１０４の周囲を回転する一対の腕部１０３ａを備えており、各腕部１０３ａの夫々の前端部には、ベール１０３ｂの基端部を取り付けたベール支持部材１０３ｃが釣糸巻取り位置と釣糸放出位置との間で回動自在に支持されている。この場合、ベール１０３ｂの一方の基端部は、ベール支持部材１０３ｃに一体的に設けられた釣糸案内部１０３ｄに取り付けられている。
【００１６】
前記リール本体１０１内には、ハンドル軸が回転可能に支持されており、ハンドル軸にはハンドル１が取り付けられている。前記ハンドル１は、ハンドル軸に連結されたアーム部２と、アーム部２の端部に取り付けられる支軸５と、支軸５に対して回転可能に装着されるハンドルノブ１０とを備えており、支軸５とハンドルノブ１０は、二部品で一体化されている。なお、ハンドル１は、複数のアーム部２を備えていても良く、各アーム部の先端に支軸５を設けておき、それぞれ同じ形態のハンドルノブ１０を装着した構成であっても良い。
【００１７】
上記した構成において、ハンドルノブ１０を摘まんで（主に親指と、人差し指乃至は中指で摘まむ）回転操作すると、リール本体内に配設された公知の駆動力伝達機構を介してロータ１０３が回転駆動されると共に、スプール１０４が前後に往復駆動され、釣糸は、釣糸案内部１０３ｄを介してスプール１０４に均等に巻回される。また、魚が掛かった際の魚信は、釣竿からリール本体１０１のリール脚部１１０を通じてハンドル１のアーム部２を介して支軸５に伝わり、後述するように、ハンドルノブ１０を摘まんだ状態で感知することが可能となる。
【００１８】
次に、図２から図７を参照して、本実施形態のハンドルの構成について説明する。なお、以下の説明では、ハンドルノブの構成を解り易くするために、「軸方向」及び「上下方向」との表現を用いるが、ここでの「軸方向」とは、支軸５の回転軸芯が延出する方向を意味し、上下方向とは、軸方向と直交する方向であって、釣り人がハンドルノブを（親指と人差し指で）摘まむ際に、各指の腹部が接近／離反する方向を意味する（図７参照）。
【００１９】
前記アーム部２及び支軸５は、例えば、チタン合金、ステンレス鋼、銅合金、アルミニ合金等の金属、或いは、ポリアセタール、ナイロン等の硬質樹脂によって形成され、必要に応じて表面処理が施されている。この場合、支軸５は、アーム部２の端部に対して、例えば、圧入、カシメ、ビス止め等によって一体的に固定されている。また、前記ハンドルノブ１０は、ウレタンや軟質塩化ビニル（ＰＶＣ）等の軟質樹脂、コルク材、ゴム材等によって形成されている。なお、支軸５の外周に薄肉の筒状のカラーを回転可能に嵌合し、後述するハンドルノブの開口部を介して摘まんだ指の腹部で、カラーを介して支軸に伝わる魚信を感知するような構成であっても良い。
【００２０】
前記ハンドルノブ１０は、全体として、略円筒形状に構成されており、その中心部分には、軸方向に貫通し前記支軸５が挿通される貫通孔１０ａが形成されている。この貫通孔１０ａの軸方向両側には、後述するような膨出部１５，１６（１７）が形成されており、各膨出部の内部に軸受１２ａ，１２ｂが配設されることで、ハンドルノブ１０は、支軸５に対して回転可能に支持されている。なお、軸受１２ａ，１２ｂは、本実施形態では、転がり式の軸受とされているが、カラー部材で構成しても良いし、支軸５の外周面に対して面接触する構成であっても良い。
【００２１】
前記支軸５の端部（アーム部２とは反対側の端部）には、軸受１２ａが配設された状態でビス１４が螺合され、このビス１４の頭部１４ａによって、支軸５に対して着脱可能に前記軸受１２ａ及びハンドルノブ１０の抜け止めが成される。ハンドルノブ１０の抜け止めは、圧入ピン、止め輪等の方法で行っても良い。
【００２２】
前記ハンドルノブ１０は、その中間領域に薄肉部１０ｄが形成されている。この薄肉部１０ｄは、略円筒形状のハンドルノブの外周面の対向する領域（上下方向の対向する領域）を軸方向に沿って平坦状に切り欠くことで形成されており、切り欠かれた部分は扁平状になって、上下方向の両側にそれぞれ平坦面１０ｅを備えた状態となっている（図５参照）。この薄肉部１０ｄは、親指と人差し指で摘まむことができる部分であり、各指の腹部が平坦面１０ａに載置された状態となる（図７参照）。
【００２３】
前記薄肉部１０ｄには、上下方向に貫通するように、略楕円形状の開口部１０ｆが形成されている。本実施形態のハンドルノブ１０は、その貫通孔１０ａに支軸５が嵌合された状態となっており、図５に示すように、薄肉部１０ｄの領域では、支軸５は、隙間が無い状態（殆ど隙間が無い状態を含む）で嵌合されている。
【００２４】
図３に示すように、前記薄肉部１０ｄによって形成される平坦面１０ｅは、貫通して配設される支軸５の両側に存在している。すなわち、本実施形態の薄肉部１０ｄは、上下方向の両側を同一に切り欠くことで形成されており、その切り欠きによって形成される平坦面１０ｅは、上下方向で対称形状となっている（上下方向の両側で同一の平坦面１０ｅが形成されている）。そして、前記支軸５とハンドルノブ１０は、貫通している支軸５が薄肉部１０ｄから露出する（開口部１０ｆに対して上下方向で突出する）ように、支軸５の直径Ｄ＞薄肉部１０ｄの肉厚Ｔとなるように形成されている。
これにより、支軸５の外周面の一部は、図５で示すように、開口部１０ｆの上下方向両側から突出（露出）した状態となり、薄肉部１０ｄの上下方向の両側の平坦面１０ｅに指を載置するだけで、その指の腹部が直接、接触することが可能となる（図７参照）。
【００２５】
前記薄肉部１０ｄは、ハンドルノブ１０の軸方向において、いずれかの領域の範囲内に形成されたものであれば良く、その軸方向長さＬについては、親指と人差し指で摘まむことができるように、５ｍｍ以上あれば好ましい。この場合、薄肉部１０ｄの軸方向長さＬは、後述する指の移動を規制する膨出部１５，１６が、薄肉部１０ｄから立ち上がる位置Ｐ１，Ｐ２間の距離によって特定されるのであり、本実施形態では、薄肉部１０ｄから支軸５を露出させる略楕円形状の開口部１０ｆの軸方向長さと略一致している。この開口部１０ｆの軸方向長さについては、魚信感度が得られる程度であれば良く、３ｍｍ以上あれば好ましい。
前記薄肉部１０ｄの軸方向長さＬの上限については特に限定されることはないが、ハンドルノブそのものが大型化することは好ましくないことから、１５ｍｍ以下、特に１１ｍｍ以下の範囲内に形成されているのが良い。すなわち、薄肉部１０ｄの軸方向長さＬ１については、５〜１１ｍｍの範囲で形成されていることが好ましい。
【００２６】
また、薄肉部１０ｄの肉厚Ｔについては、薄くし過ぎると十分な強度が確保できず、厚くし過ぎると、露出する支軸５との関係で、摘まんだ際に違和感が生じることから、２〜３．５ｍｍ程度に形成することが好ましい。さらに、前記支軸５については、薄肉部１０ｄに載せた指がそのまま接触できるように、薄肉部１０ｄの肉厚Ｔよりも大きい径のものが用いられれば良く、支軸５の直径Ｄと前記薄肉部１０ｄの肉厚Ｔとの比率関係については、接触した指で効果的に魚信が得られるように、１：（０．５〜０．８５）程度であれば良い。
なお、本実施形態の構成では、支軸５の直径Ｄは、４ｍｍ、薄肉部１０ｄの軸方向長さは、１１ｍｍ、薄肉部１０ｃの肉厚Ｔは、３ｍｍで形成されている。
【００２７】
前記ハンドルノブ１０には、前記薄肉部１０ｄを摘まんだ際に、指が軸方向へ移動しないように（指の軸方向の移動を規制するように）、薄肉部１０ｄに対して径方向に膨出する膨出部が形成されている。
【００２８】
本実施形態では、図３に示すように、前記薄肉部１０ｄをハンドルノブ１０の軸方向中央から先端側にかけて形成しており、その両側に膨出部１５，１６を形成している。軸方向先端側の膨出部１５は、前記軸受１２ａが配設される部分に形成されており、薄肉部１０ｄの平坦面１０ｅ及び開口部１０ｆの先端側の開口縁Ｐ１から略直線状に傾斜して立ち上がる傾斜面１５ａを備えている。また、軸方向基端側の膨出部１６は、薄肉部１０ｄの平坦面１０ｅ及び開口部１０ｆの基端側の開口縁Ｐ２から略直線状に傾斜して立ち上がる傾斜面１６ａを備えている。すなわち、各膨出部１５，１６は、薄肉部１０ｄから立ち上がる（変曲点をもって立ち上がる湾曲状などを含む）傾斜面を介して形成されている。
【００２９】
本実施形態では、前記基端側の膨出部１６（傾斜面１６ａ）の上下方向の両側に、前記薄肉部１０ｄによって形成される平坦面１０ｅと略平行となる平坦面１６ｂが形成されている。
すなわち、本実施形態のハンドルノブ１０は、前記支軸５を露出させる平坦面（第１の平坦面と称する）１０ｅと、基端側の膨出部１６の表面に形成される第２の平坦面１６ｂと、を備えた構成となっており、第２の平坦面１６ｂの部分でも、安定して親指と人差し指で摘まんでハンドルの回転操作が行えるように構成されている。そして、第２の平坦面１６ｂから基端側については、略直線状に傾斜して立ち上がる傾斜面１６ｃを介して、第２の平坦面１６ａから更に径方向に膨出する膨出部１７を形成している（この膨出部１７の内部に、前記軸受１２ｂが配設される）。
【００３０】
上記したように構成されるハンドルノブ１０は、二部品で構成されることから、構造が簡略化される。また、ハンドルノブと支軸の関係が、支軸５の直径Ｄ＞薄肉部１０ｄの肉厚Ｔとなっているため、ハンドルノブ１０の開口部１０ｆから支軸５が露出した状態となっており、ハンドルノブ１０の薄肉部１０ｄを、親指と人差し指で軽く摘まむ（強く挟み込まない）だけで、その指の腹部が直接支軸５に触れることが可能となり（図７参照）、特許文献１に開示されているハンドルノブよりも、魚信感度の向上が図れると共に回転操作性の向上も図れるようになる。
【００３１】
また、薄肉部１０ｄの両側に、表面から立ち上がるように径方向に膨出する膨出部１５，１６（１７）が形成されているため、回転操作時に指が軸方向に移動することが規制され、安定した回転操作が行なえるようになる。特に、本実施形態では、薄肉部１０ｄを、軸方向中央から先端側の狭い領域（軸方向長さＬは１１ｍｍ）に形成したことで、薄肉部１０ｄを摘まむ指の位置が、傾斜面１５ａ，１６ａによって落ち込んだ第１の平坦面１０ｅに嵌まり込んだ状態になることから、安定した回転操作が行える。さらに、膨出部１６の第２の平坦面１６ｂにも指を載置して、その部分を挟み込むことができるため、状況に応じて異なる把持態様にすることができ、操作性の向上が図れるようになる。
【００３２】
なお、指で摘まむ薄肉部に対する膨出部の高さについては、薄肉部から指が容易に軸方向に移動しない程度に設定されていれば良い。例えば、本実施形態のような構成では、薄肉部１０ｄの表面となる平坦面１０ｅに対する膨出部の高さ（膨出部１６に形成された第２平坦面１６ｂまでの高さ）Ｈが、少なくとも１ｍｍ以上確保されていれば良く、これにより、指が軸方向に移動しても、傾斜面１６ａで引っ掛かり、抜けないようにしている。
【００３３】
次に、本発明の別の実施形態について説明する。
以下の実施形態では、第１の実施形態と同様な構成については、同一の参照符号を付して詳細な説明については省略する。
【００３４】
図８及び図９は、本発明の第２の実施形態を示す図であり、図８は、ハンドルノブ部分の斜視図、図９は、ハンドルノブ部分の軸方向に沿った断面図である。
本実施形態のハンドルノブ１０Ａは、薄肉部１０ｄを、基端側から先端側までの広い範囲に形成しており、その両側の軸受１２ａ，１２ｂが配設される部分に膨出部１５，１６を形成している。各膨出部１５，１６は、薄肉部１０ｄによる平坦面１０ｅの両端、及び開口部１０ｆの開口縁Ｐ１，Ｐ２から傾斜状に上昇する傾斜面１５ａ，１６ａを介して膨出しており、この膨出部１５，１６によって、薄肉部１０ｄを摘まんだ指の軸方向の移動を規制している。
【００３５】
このような構成においても、上記した実施形態と同様の効果が得られる。また、ハンドルノブ１０Ａは、その中心位置に対して、軸方向、及び、上下方向に対して対称形状に形成されているため、どの位置を摘まんでも同様な把持感覚が得られるようになる。
【００３６】
図１０及び図１１は、本発明の第３の実施形態を示す図であり、図１０は、ハンドルノブ部分の斜視図、図１１は、ハンドルノブ部分の軸方向に沿った断面図である。
本実施形態のハンドルノブ１０Ｂは、第２実施形態と同様、薄肉部１０ｄを、基端側から先端側までの広い範囲に形成しており、その両側の軸受１２ａ，１２ｂが配設される部分に形成される膨出部１５，１６については、薄肉部１０ｄによる平坦面１０ｅから、直角状に上昇させることで構成されている。
【００３７】
このような構成では、指の移動を規制する部分が、薄肉部１０ｄ（平坦面１０ｅ）に対して直角状に形成された規制壁（垂直壁）１５ａ´，１６ａ´となっているため、回転操作時に指が軸方向に抜けることが確実に防止され、より操作性の安定化が図れるようになる。
【００３８】
図１２及び図１３は、本発明の第４の実施形態を示す図であり、図１２は、ハンドルノブ部分の斜視図、図１３は、ハンドルノブ部分の軸方向に沿った断面図である。
本実施形態のハンドルノブ１０Ｃは、軸方向の両側に形成される膨出部１５，１６以外に、略中央領域にも傾斜面を介して膨出する膨出部１９を形成しており、膨出部１９の軸方向両側に、それぞれ開口部１０ｆ´を形成している。この開口部１０ｆ´は、両側の膨出部１５，１６及び中央の膨出部１９から落ち込んだ位置に形成されており、その部分が薄肉部１０ｄ´を構成して、嵌合される支軸５を露出させている。
【００３９】
すなわち、ハンドルノブ１０Ｃは、いずれの薄肉部１０ｄ´を摘まんでも操作することが可能であり、いずれの薄肉部１０ｄ´を摘まんだ状態においても、膨出部１５，１９、或いは、膨出部１６，１９によって、摘まんだ指が軸方向へ移動することが規制された状態となる。
【００４０】
このように、支軸５を露出させる開口部の形成個数、膨出部が形成される位置については、適宜変形することが可能であり、様々な形態のハンドルノブを取り揃えることで、釣り人の好み、或いは操作態様に応じたハンドルノブを選択することが可能である。この場合、図に示す膨出部１９については、膨出部１５，１６よりも更に径方向に膨出させた構成であっても良いし、上記した第３実施形態のように、直角状の規制壁として構成したものであっても良い。また、膨出部１９の形成位置についても適宜変形することが可能である。
【００４１】
以上、本発明の実施形態について説明したが、本発明は、上記した実施形態に限定されることはなく、種々変形することが可能である。
上記したようなハンドルが装着される魚釣用リールについては、両軸受型リールや片軸受型リールにする等、リールについては限定されることはない。また、ハンドルノブの上下方向の形状については、非対称形状であっても良く、上記した平坦面については、上下方向で非対称でも、上側又は下側のいずれか一方に形成したものであっても良い。また、支軸５を露出させる開口部が形成される薄肉部１０ｄ，１０ｄ´については、その両側に指の移動を規制する膨出部が形成されていれば良い。さらに、薄肉部の形状については、上記した実施形態のように、軸方向に沿って扁平状（平坦状）にしても良いし、部分的に表面が湾曲状に形成されていたり、波状に形成されていても良く、支軸を露出できる程度に薄肉厚化されていれば良い。
【符号の説明】
【００４２】
１  ハンドル
２  アーム部
５  支軸
１０，１０Ａ，１０Ｂ，１０Ｃ  ハンドルノブ
１０ｄ，１０ｄ´  薄肉部
１０ｆ，１０ｆ´  開口部
１５，１６，１９  膨出部
１００  魚釣用リール
【図１】
2020115776.tif 000003
【図２】
2020115776.tif 000004
【図３】
2020115776.tif 000005
【図４】
2020115776.tif 000006
【図５】
2020115776.tif 000007
【図６】
2020115776.tif 000008
【図７】
2020115776.tif 000009
【図８】
2020115776.tif 000010
【図９】
2020115776.tif 000011
【図１０】
2020115776.tif 000012
【図１１】
2020115776.tif 000013
【図１２】
2020115776.tif 000014
【図１３】
2020115776.tif 000015